(57)【要約】【課題】カメラ単体に関しては薄型、軽量であり、必要に応じ、乾電池など、どこでも入手できる一次電池を使えるようにすると共に重量を増加させ、撮影に当たって安定感を増すことのできる電子カメラの提供。【解決手段】表示装置を有した操作部と、操作部に回動機構によって回動可能に接続し、発光装置と撮影用レンズを備えて前記表示装置に映像を送る撮像部とで電子カメラを構成し、この電子カメラに、外部から操作部に、グリップ部を電池収納部としたグリップを脱着可能としたことを特徴とする。【選択図】      図５
2005051452.tif 000002
【特許請求の範囲】
【請求項１】
表示装置を有した操作部と、撮影用レンズを備えて前記表示装置に映像を送る撮像部と、前記操作部と前記撮像部とを相対的に回動可能に接続する回動機構とを備え、前記操作部は内部に電池を収納可能の電池収納部を備えたグリップ部を着脱自在とすることを特徴とする電子カメラ。
【請求項２】
外部より電源供給を受けるコネクタを備え、前記コネクタは、外部電源アダプタが前記グリップ部に設けられた電源供給ジャックと選択的に接続可能であることを特徴とする請求項１に記載した電子カメラ。
【請求項３】
前記コネクタの接続方向と略同一方向に前記グリップ部が着脱自在であることを特徴とする請求項２に記載した電子カメラ。
【請求項４】
前記操作部に電池を収納可能な内部電池収納部を備え、前記内部電池収納部は、前記グリップ部を装着した際に前記グリップ部の前記電池収納部の近傍位置であって、前記操作部の筐体内部に配置していることを特徴とする請求項１乃至３のいずれかに記載した電子カメラ。
【請求項５】
表示装置の表示を確認しながら操作を行う操作部の操作釦のうち、シャッター釦を除く操作釦類を前記操作部の筐体の表示装置配置面側に集約したことを特徴とする請求項１乃至４のいずれかに記載した電子カメラ。
【発明の詳細な説明】
【０００１】
【発明の属する技術分野】
本発明は、電子カメラに関し、特に小型、薄型、軽量で、かつ、安定した撮影をできるようにグリップを取り付け可能にすると共に、グリップに電池収納部を設けて長時間撮影も可能にした電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感をおこさせない軽さで、しかも高倍率のズーム機構を備えた電子カメラの出現が望まれている。
【０００４】
こういった要望に対応するため、例えば特許文献１には、撮像レンズと撮像素子とを内蔵した撮像部と、液晶等の表示部を備えたカメラ本体とを回転可能に構成し、撮影時には撮像部をカメラ本体に対して撮影したい方向へ回転し、非撮影時には、撮像部をカメラ本体に対して回転してカメラ本体内に収納するようにしたカメラが開示されている。すなわち、このように撮像部をカメラ本体に対して回転することで、撮像部をカメラ本体に対して表示部と平行方向に収納することができ、カメラ本体の表示部に対して垂直方向の厚みを薄くすることができる。
【０００５】
また、こういった薄型、軽量化されたカメラは、撮影に際して充分なホールディングがおこなわれないとシャッター釦の押下だけでぶれが生じ、シャープな写真が撮れないという問題があり、また、こういった電子カメラは一般的に充電式の２次電池を電源としているが、旅行などで充電器を持ち歩くのが不便な場合に備え、どこでも購入できる乾電池などの一次電池を使いたいという要望もある。このうち手ぶれの問題は、カメラ自体にある程度の重量が有ればかなり少なくなるが、これは小型化、軽量化と相反する問題であり、また乾電池などの一次電池は、一般的にある程度の大きさと重量があって、これらを用いることも同様に小型化、軽量化とは相容れない結果となる。
【０００６】
【特許文献１】
特許第２９３１９０７公報（図１）
【０００７】
【発明が解決しようとする課題】
そのため本発明においては、カメラ単体に関しては薄型、軽量であり、必要に応じ、乾電池など、どこでも入手できる一次電池を使えるようにして重量を増加させ、撮影に当たって安定感を増すことのできる電子カメラを提供することが課題である。
【０００８】
【課題を解決するための手段】
上記課題を解決するため本発明においては、
表示装置を有した操作部と、撮影用レンズを備えて前記表示装置に映像を送る撮像部と、前記操作部と前記撮像部とを相対的に回動可能に接続する回動機構とを備え、前記操作部は内部に電池を収納可能の電池収納部を備えたグリップ部を着脱自在とすることを特徴とする。
【０００９】
このように、操作部にグリップを着脱可能にし、かつ、そのグリップを電池収納部として一般的な乾電池や充電式の乾電池型電池などを装填できるようにすることで、長時間の撮影や多数枚の撮影をおこなう場合や長期の旅行などに出かける場合、このグリップに乾電池や乾電池型充電式電他を装填して操作部に取り付ければ、長時間、多数枚の撮影が可能となり、かつ、乾電池はどこでも入手可能であるから旅先でも電池切れをおこすことがない。また、このようにグリップ部に電池を収納することで、操作部側の重量が増すから、カメラ保持に際して重量バランスが良くなると共にブレを少なくすることができ、カメラ単体は薄型、軽量であるにもかかわらず、必要に応じ、乾電池など、どこでも入手できる一次電池を使って重量を増加させ、撮影に当たって安定感を増すことのできる電子カメラを提供できる。
【００１０】
そして外部より電源供給を受けるコネクタを備え、前記コネクタは、外部電源アダプタが前記グリップ部に設けられた電源供給ジャックと選択的に接続可能とすることにより、単一のコネクタによって外部電源アダプタとグリップ部に収容された電池からの電源供給が可能となり、機構の追加をすることなくグリップの取り付けが可能となるから、グリップ部と電子カメラ自体を安価に提供することができる。
【００１１】
また、前記コネクタの接続方向と略同一方向に前記グリップ部を着脱自在とすることにより、グリップを平行移動して取り付けることが可能となると共に、グリップ部を取り付けても表示装置の目視に影響を与えないようにすることができる。
【００１２】
さらに電子カメラは、前記操作部に電池を収納可能な内部電池収納部を備え、前記内部電池収納部は、前記グリップ部を装着した際に前記グリップ部の前記電池収納部の近傍位置であって、前記操作部の筐体内部に配置したことにより、グリップ部に収容した電池からの電源供給のために特別な配線が必要なくなり、それだけ安価な電子カメラを提供することができる。
【００１３】
また、表示装置の表示を確認しながら操作を行う操作部の操作釦のうち、シャッター釦を除く操作釦類を前記操作部の筐体の表示装置配置面側に集約したことにより、グリップを取り付けても、電子カメラの操作に何ら支障をきたさないようにすることができる。ここで、操作釦類の大部分とは、後に説明するシャッター釦、電源釦、ズームキー、選択決定キー、メニュー釦、ディスプレイ釦、シーン釦、モードセレクト釦のうち、電源釦とシャッター釦を除くものを意味するほか、より好ましくは、表示装置の表示を確認しながら頻繁に操作を行う操作釦類を意味する。
【００１４】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１５】
図１は本発明になる電子カメラ単体の一実施形態における全体斜視図、図２は本発明になる電子カメラ単体におけるレンズを被写体方向に向けた撮影状態を示した斜視図、図３は本発明になる電子カメラ単体におけるレンズを表示装置側に向けて自分を取れるようにした状態を示した斜視図、図４は電池収納部を有したグリップ部を取り付けた本発明になる電子カメラの内部部品を一部透視して示した上面図、図５は電池収納部を有したグリップ部を取り付けた本発明になる電子カメラのレンズを被写体方向に向けた撮影状態を示した斜視図、図６は図５に示した撮影状態を表示装置側から見た斜視図、図７は本発明になる電子カメラの電池収納部を有したグリップ部の操作部への取り付け構造の第１実施形態を示した一部断面図、図８は同じくグリップ部における操作部への取り付け構造の第１実施形態の図４におけるＡ−Ａ線の断面図、図９、図１０は本発明になる電子カメラの電池収納部を有したグリップ部の操作部への取り付け構造の第２、３実施形態を示した一部断面図である。
【００１６】
図中１００は本発明になる電子カメラ、１０１は撮像部、１０２は操作部、１０３は撮影レンズ用の開口、１０４はストロボなどの発光装置窓、１０５は液晶などを用いた表示装置、１０６はシャッター釦、１０７は電源釦、１０８は表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容をシーンセレクト選択画面に切り替えたり照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１７】
図４乃至１０において、１３０は撮影用レンズ、１３１はストロボなどの発光装置、１３２は内蔵の標準電池、２００はグリップ部、２０１はグリップ部の電池収納部２０２に収納した電池、２０３は握り部、２０４はグリップ２００を電子カメラ１００の操作部１０２に固定するためのネジで、操作部１０２側にはこのネジを螺合するための図示していないネジ孔が設けられている。２０５はこのネジ２０４の抜け止め用Ｃリング、２０６はネジ２０４用の孔、２０７は爪状突起、２０８はこの爪状突起２０７を受ける凹部、２０９はネジの代わりにグリップ２００を電子カメラ１００の操作部１０２に固定するため凹部２１０を有した突起で、操作部１０２側にはこの突起２０９を受ける図示していない孔が設けられ、さらに、突起２０９の凹部２１０を抜け止めするためのスリットを有したシャッター２１１が設けられている。２１５は操作部１０２における筐体側の図示していない電源供給コネクタへ挿入する電源供給ジャック、２１６は操作部１０２に設けられたストラップ取り付け部を通す孔、２１７は電池収納部２０２のフタである。
【００１８】
なお、以下の説明では、本発明における光学系としてズームレンズを配した電子カメラの場合を例に説明するが、本発明は、ズーム機能を有さない単焦点のカメラとした場合も全く同様に構成できる。
【００１９】
本発明になる電子カメラ１００は、図１乃至３に示したように、操作部１０２側に表示装置１０５と一般的な撮影用操作釦類１０６乃至１１３を配し、この操作部１０２にヒンジ機構で回転可能に接続された撮像部１０１の一端側には、撮影レンズ用開口１０３とその奥に撮影用レンズ１３０（図４）、その操作部１０２側に発光装置用の窓１０４とその奥に発光装置１３１（図４）を配してある。そしてこの撮像部１０１の内部には、撮影レンズ用開口１０３の背後に撮影用ズームレンズが、そしてその隣に、ズームレンズを構成するレンズ群を進退させるためのカム機構が配され、これらズームレンズとカム機構の奥側、すなわち撮影レンズ用開口１０３と逆側に発光装置用コンデンサなどの電装部品が配されている。また操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。また特に、撮影中に表示装置１０５に指がかからないように、主に撮影に用いる釦１０６、１０９等は表示装置より離して配置してある。
【００２０】
そして本発明になる電子カメラ１００は、表示装置１０５を常時視認できるよう撮影者の方に向けたまま、図２に示したように撮像部１０１を被写体の方に向けたり、また、図３に示したように逆に回動させて撮影レンズ用開口１０３がカメラ操作者（自分）の方を向くようにし、自分撮りもできるようになっている。さらに本発明になる電子カメラ１００は、撮像部１０１の撮影レンズ用開口１０３側の端から発光装置用の窓１０４側の端までの長さＬ１（図３）を、例えば左手人差し指の先端から第２関節近辺までの長さとし、かつ、撮像部１０１における撮影レンズ用開口１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。
【００２１】
また撮影レンズ用開口１０３からヒンジ機構の回転中心までの距離は、ヒンジ機構の回転中心から撮影レンズ用開口１０３とは逆側の端までの距離より大きくとってある。そのため、撮影レンズ用開口１０３をユーザ自身側に向けて撮影をおこなった場合、表示装置１０５の表示画面から撮像部１０１の撮影レンズ用開口１０３側までの距離が長くなる。従って、ユーザが表示装置１０５をユーザの視認方向に対して傾けて視認し、表示画面を撮影レンズ用開口１０３と表示画面との間の隙間から見た場合、表示画面から撮影レンズ用開口１０３までの距離が長いので、前記隙間も長くなり、表示画面全体を良好に視認できる。
【００２２】
そしてこのように構成した本発明の電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００２３】
そして、図２に示したように被写体の方に撮影レンズ用開口１０３を向け、表示装置１０５に映し出された被写体を見ながら右手親指で撮像部１０１のズームキー１０９を操作すると、ズームレンズが広角側、または望遠側に動くから、所定の倍率を選択して構図を決定した後、右手人差し指でシャッター釦１０６を押下する。すると、自動焦点機構が働いてピントが合わされると共に露出が決定され、シャッターが動作して内蔵されたＣＣＤなどの撮像素子によって撮影された画像がメモリーカードなどに送られて記録される。
【００２４】
このようにして撮影をおこなうことにより、前記したように撮像部１０１における撮影レンズ用開口１０３からヒンジ機構の回転中心までの距離は、ヒンジ機構の回転中心から撮影レンズ用開口１０３とは逆側の端までの距離より大きくとってあるから、レンズ部が大きく回り、撮像部１０１を素早く被写体に向けられると共に、カメラ１００をしっかりホールドすることができる。
【００２５】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２６】
以上が本発明になる電子カメラ単体の撮影動作であるが、本発明になる電子カメラ１００は、図４乃至図８に示したように、内部に乾電池や充電式乾電池型電池などの電池２０１を入れる電池収納部２０２を有したグリップ２００を着脱可能に構成してある。そのため、電子カメラ１００単体に関しては、薄型、軽量であるが、必要に応じて乾電池など、どこでも入手できる電池を使えるようにして重量を増加させ、撮影に当たって安定感を増すことができ、さらに長時間撮影や多数枚の撮影においても、電源容量の心配をする必要のない電子カメラとなっている。
【００２７】
すなわちこのグリップ２００は、図５、図６から明らかなように、電子カメラ１００における操作部１０２の表示装置１０５とは逆側の面に着脱可能に取り付けられ、内部に図４に示したように乾電池、または充電式乾電池型電池などの電池２０１を入れる電池収納部２０２を有している。そのため、この電池を収納した握り部２０３を握って電子カメラ１００を保持することにより、ホールディング性の優れたカメラとすることができる。
【００２８】
そしてこのグリップ２００は、図７、８から明らかなように、電子カメラ１００における外部電源の接続方向に電源供給ジャック２１５、また、ストラップ取り付け具を通す孔２１６、ネジ２０４を通す孔２０６が設けられ、図７に示したように、外部電源の接続方向からこの電源供給ジャック２１５を操作部１０２の図示していない電源供給コネクタに差し込み、ネジ２０４で取り付けて電力を供給できるようになっている。すなわち本発明の電子カメラ１００は、操作部１０２内に設けた表示装置１０５とは反対側に標準電池１３２を収容し、グリップ２００を平行移動させながら取り付けることが可能であり、かつ、図示していない電源供給コネクタにグリップ２００の電源供給ジャック２１５を差し込み、操作部１０２におけるグリップ２００の図示していない取り付け穴にグリップ２００のネジ２０４で固定することで、電源供給ジャック２１５は標準電池１３２の近傍となるから電源線の引き回しなどが短くなる。また同時に、ネジ２０４と電源供給ジャック２１５の両者によって操作部１０２へのグリップ２００の取り付けができるから、このグリップ２００は、特別な機構の追加をすることなく確実に電子カメラ１００への取り付けが可能となり、グリップ２００と電子カメラ１００自体を安価に提供することができる。
【００２９】
また、この外部電源の電池収納部２０２は、前記操作部１０２における表示装置１０５の反対側の面に設けてあり、グリップ２００を取り付けても表示の目視に影響を与えず、さらにシャッター釦１０６と電源釦１０７を除く操作釦類１０８から１１３を、電子カメラ１００における操作部１０２の表示装置１０５側に集めてあるから、グリップ２００を取り付けても、電子カメラ１００の操作に何ら支障をきたすことがない。
【００３０】
図９、図１０はこのグリップ２００の操作部１０２への取り付け構造の第２実施形態、第３実施形態を示したもので、図９に示し第２実施形態は、図７に示した第１実施形態のグリップ２００に、操作部１０２に設けた凹部２０８と係合する突起２０７を設けたものである。このように突起２０７を設けることにより、グリップ２００の操作部１０２への固定が容易に、確実になる。
【００３１】
図１０に示した第３実施形態は、図７における固定ネジ２０４の代わりに、凹部２１０を有する突起２０９を設けたもので、操作部１０２側にはこの突起２０９を受ける図示していない孔と、突起２０９の凹部２１０を抜け止めするためのスリットを有したシャッター２１１が設けられ、突起２０９を操作部１０２側に設けた突起２０９を受ける図示していない孔に差し込み、さらにシャッター２１１のスリットを突起２０９の凹部２１０へスライドさせて差し込むことでグリップ２００の抜け止めをするようにしたものである。このようにすることにより、図７、図９に示した第１実施形態、第２実施形態のようにグリップ２００の操作部１０２への固定に際し、ネジ２０４を回す必要がないから簡単、確実に固定することができる。
【００３２】
このように、電子カメラ１００の操作部１０２にグリップ２００を着脱可能にし、かつ、そのグリップ２００を電池収納部２０２として一般的な乾電池や充電式の乾電池型電池２０１などを装填できるようにすることで、長時間の撮影や多数枚の撮影をおこなう場合や長期の旅行などに出かける場合、このグリップに乾電池や乾電池型充電式電他２０１を装填して操作部１０２に取り付ければ、長時間、多数枚の撮影が可能となり、かつ、乾電池はどこでも入手可能であるから旅先でも電池切れをおこすことがない。また、このようにグリップ２００に電池を収納することで、操作部１０２側の重量が増すから、カメラ保持に際して重量バランスが良くなると共にブレを少なくすることができ、カメラ単体は薄型、軽量であるにもかかわらず、必要に応じ、乾電池など、どこでも入手できる一次電池を使って重量を増加させ、撮影に当たって安定感を増すことのできる電子カメラを提供できる。
【００３３】
そして外部より電源供給を受けるコネクタを備え、前記コネクタは、外部電源アダプタが前記グリップ部に設けられた電源供給ジャック２１５と選択的に接続可能とすることにより、単一のコネクタによって外部電源アダプタとグリップ部に収容された電池からの電源供給が可能となり、機構の追加をすることなくグリップ２００の取り付けが可能となるから、グリップ部２００と電子カメラ１００自体を安価に提供することができる。
【００３４】
また、前記コネクタの接続方向と略同一方向に前記グリップ部を着脱自在とすることにより、グリップ２００を平行移動して取り付けることが可能となると共に、グリップ部２００を取り付けても表示の目視に影響を与えないようにすることができる。
【００３５】
さらに本発明の電子カメラ１００は、前記操作部１０２に電池を収納可能な内部電池収納部を備え、前記内部電池収納部は、前記グリップ部２００を装着した際に前記グリップ部２００の前記電池収納部２０２の近傍位置であって、前記操作１０２部の筐体内部に配置したことにより、グリップ部２００に収容した電池１３２からの電源供給のために特別な配線が必要なくなり、それだけ安価な電子カメラを提供することができる。
【００３６】
また、表示装置１０５の表示を確認しながら操作を行う操作部１０２の操作釦のうち、シャッター釦１０６を除く操作釦類１０７〜１１３を前記操作部１０２の筐体の表示装置１０５配置面側に集約したことにより、グリップ２００を取り付けても、電子カメラ１００の操作に何ら支障をきたさないようにすることができる。
【００３７】
【発明の効果】
以上種々述べてきたように本発明によれば、操作部にグリップを着脱可能にし、かつ、そのグリップを電池収納部として一般的な乾電池や充電式の乾電池型電池などを装填できるようにすることで、長時間の撮影や多数枚の撮影をおこなう場合や長期の旅行などに出かける場合、このグリップに乾電池や乾電池型充電式電他を装填して操作部に取り付ければ、長時間、多数枚の撮影が可能となり、かつ、乾電池はどこでも入手可能であるから旅先でも電池切れをおこすことがない。また、このようにグリップ部に電池を収納することで、操作部側の重量が増すから、カメラ保持に際して重量バランスが良くなると共にブレを少なくすることができ、カメラ単体は薄型、軽量であるにもかかわらず、必要に応じ、乾電池など、どこでも入手できる一次電池を使って重量を増加させ、撮影に当たって安定感を増すことのできる電子カメラを提供できる。
【図面の簡単な説明】
【図１】本発明になる電子カメラ単体の一実施形態における全体斜視図である。
【図２】本発明になる電子カメラ単体におけるレンズを被写体方向に向けた撮影状態を示した斜視図である。
【図３】本発明になる電子カメラ単体におけるレンズを表示装置側に向けて自分を取れるようにした状態を示した斜視図である。
【図４】電池収納部を有したグリップ部を取り付けた本発明になる電子カメラの内部部品を一部透視して示した上面図である。
【図５】電池収納部を有したグリップ部を取り付けた本発明になる電子カメラのレンズを被写体方向に向けた撮影状態を示した斜視図である。
【図６】図５に示した撮影状態を表示装置側から見た斜視図である。
【図７】本発明になる電子カメラの電池収納部を有したグリップ部の操作部への取り付け構造の第１実施形態を示した一部断面図である。
【図８】同じくグリップ部における操作部への取り付け構造の第１実施形態の図４におけるＡ−Ａ線の断面図である。
【図９】本発明になる電子カメラの電池収納部を有したグリップ部の操作部への取り付け構造の第２実施形態を示した一部断面図である。
【図１０】本発明になる電子カメラの電池収納部を有したグリップ部の操作部への取り付け構造の第３実施形態を示した一部断面図である。
【符号の説明】
１００  電子カメラ
１０１  撮像部
１０２  操作部
１０３  撮影レンズ用開口
１０４  発光装置窓
１０６  シャッター釦
１０７  電源釦
２００  グリップ部
２０１  電池
２０２  電池収納部
２０３  握り部
【図１】
2005051452.tif 000003
【図２】
2005051452.tif 000004
【図３】
2005051452.tif 000005
【図４】
2005051452.tif 000006
【図５】
2005051452.tif 000007
【図６】
2005051452.tif 000008
【図７】
2005051452.tif 000009
【図８】
2005051452.tif 000010
【図９】
2005051452.tif 000011
【図１０】
2005051452.tif 000012